(57)【要約】【課題】複合機のキートップの取付けにおいて欠品と取付け違いを防止することができる。【解決手段】コピー機能、ファクシミリ機能、プリンタ機能等のアプリケーション機能の中から選択される複数の機能と、複数の機能に応じてユーザが操作するパネル部５へ取り付けられるキートップとを有する複合機を同一生産ラインで組み立てる生産ライン１に関する。複合機組立体４Ａはアプリケーション機能を実行するためのコントローラ６を備え、各機能の工程保証手順を組み込んだ検査プログラムをコントローラ６にインストールし、パネル部５に取り付けられたキートップを押すことによって、押されたキートップに対応した検査プログラムを起動させる。【選択図】図１
2006211484.tif 000002
【特許請求の範囲】
【請求項１】
コピー機能、ファクシミリ機能、プリンタ機能等のアプリケーション機能の中から選択される複数の機能と、該複数の機能を実行するためのコントローラと、該複数の機能に応じてユーザが操作するパネル部へ取り付けられるキートップとを有する複合機を同一生産ラインで組み立てる生産ラインの工程保証方法において、
（イ）前記各機能の工程保証手順を組み込んだ検査プログラムを前記コントローラにインストールし、そして、
（ロ）前記パネル部に取り付けられたキートップを押すことによって、押されたキートップに対応した検査プログラムを起動させる
ことを特徴とする生産ラインの工程保証方法。
【請求項２】
前記キートップを取り付ける工程は、各機能毎に工程分散されていることを特徴とする請求項１に記載の生産ラインの工程保証方法。
【請求項３】
前記生産ラインの最終工程で各機能の組み合わせに応じて型抜きした照合治具を用いることを特徴とする請求項１に記載の生産ラインの工程保証方法。
【発明の詳細な説明】
【技術分野】
【０００１】
本発明は、コピー機能、ファクシミリ機能、プリンタ機能等のアプリケーション機能の中から選択される複数の機能を有する複合機に取り付けられる部品（キートップ）が確実に取り付けされたか否かを検査し欠品・仕様違いを防止出来る工程保証システム及び工程保証方法に関する。
【背景技術】
【０００２】
複合機の操作パネルへキートップを取付けるような同一形状で取付け位置が複数存在する作業では、組立支持に基づく作業者の意識に依存する組立方法が一般的である。
その結果欠品・取付け位置違い等のミスが発生しており、またそのミスも生産ラインで発見されず市場へ流出している。そのような組立ミスを防止するために部品管理では、特許文献１に提案されているような部品の在庫管理がある。
【０００３】
この特許文献１では、リーダライタを使って各薬の上面に貼付された個別情報タグから物品情報を１つ１つ読み取り、薬箱内へ薬を収容する。そして、薬箱の開閉扉に貼付された一括情報タグに対してリーダライタを使って、上記薬の物品情報をそれぞれ書き込むようにしている。
【０００４】
また、特許文献２では、生産ライン上に一定時間内に部品を取り出さないと警告信号を発生させ欠品防止を促がす方法が開示されている。
【特許文献１】特開２００２−１４５４１９号公報
【特許文献２】特開２００１−４７３１９号公報
【発明の開示】
【発明が解決しようとする課題】
【０００５】
しかしながら、特許文献１や特許文献２に開示された技術では、部品の取付け位置違いのようなミスは、検出できない。
【０００６】
以上の点に鑑み、本発明は、複合機のキートップの取付けにおいて欠品と取付け違いを防止することができる工程保証システム及び工程保証方法を提供することをその目的とする。
【課題を解決するための手段】
【０００７】
請求項１に係る発明は、コピー機能、ファクシミリ機能、プリンタ機能等のアプリケーション機能の中から選択される複数の機能と、該複数の機能を実行するためのコントローラと、該複数の機能に応じてユーザが操作するパネル部へ取り付けられるキートップとを有する複合機を同一生産ラインで組み立てる生産ラインの工程保証方法において、（イ）前記各機能の工程保証手順を組み込んだ検査プログラムを前記コントローラにインストールし、そして、（ロ）前記パネル部に取り付けられたキートップを押すことによって、押されたキートップに対応した検査プログラムを起動させることを特徴とする生産ラインの工程保証方法である。
【０００８】
請求項２に係る発明は、前記キートップを取り付ける工程は、各機能毎に工程分散されていることを特徴とする請求項１に記載の生産ラインの工程保証方法である。
【０００９】
請求項３に係る発明は、前記生産ラインの最終工程で各機能の組み合わせに応じて型抜きした照合治具を用いることを特徴とする請求項１に記載の生産ラインの工程保証方法である。
【発明の効果】
【００１０】
請求項１に記載された発明によれば、複合機のキートップの取付けにおいて欠品と取付け違いを防止することができる。
【００１１】
請求項２に記載された発明によれば、キートップを取り付ける工程が、各機能毎に工程分散されているので、キートップの位置違い及びキートップの同じ物を２個使用するという間違いを防止できる。
【００１２】
請求項３に記載された発明によれば、生産ラインの最終工程で各機能の組み合わせに応じて型抜きした照合治具を用いることにより、同一ライン上に異なる機能を有する複合機が流れていても、バリエーションに合ったキートップの位置違いを防止できる。
【発明を実施するための最良の形態】
【００１３】
以下、本発明の実施の形態を図面を参照して説明する。図１は本発明の一実施形態に係る、複合機の生産ラインを示す図である。図１に示すように、生産ライン１は、複合機組立体４Ａ〜４Ｄがパレット３上に載置され、パレット３とともにベルトコンベア２上を搬送される。
【００１４】
複合機組立体４Ａは、操作部であるパネル部５とコントローラ６とを有し、キートップの取り付けを除いて、その前工程により組立が終了している。複合機組立体４Ｂは、コピー用キートップ５ｂの取り付けとコピー機能検査が終了した複合機組立体であり、複合機組立体４Ｃは、さらにファクシミリ用キートップ５ｃの取り付けとファクシミリ機能検査が終了した複合機組立体であり、  複合機組立体４Ｄは、さらにプリンタ用キートップ５ｄの取り付けとプリンタ機能検査が終了した複合機組立体である。
【００１５】
なお、図１中、部品テーブル７ｂはコピー用キートップ５等を載置する部品テーブル、部品テーブル７ｃはファクシミリ用キートップ５ｃ等を載置する部品テーブル、部品テーブル７ｄはプリンタ用キートップ５ｄ等を載置する部品テーブル、作業者８ｂはコピー用キートップ５ｂの取り付け工程とコピー機能検査工程とを担当する作業者、作業者８ｃはファクシミリ用キートップ５ｃの取り付け工程とファクシミリ機能検査工程とを担当する作業者、作業者８ｄはプリンタ用キートップ５ｄの取り付け工程とプリンタ機能検査工程とを担当する作業者である。また、符号７ｅはインストール用テーブルであり必要に応じて設けることができる。
【００１６】
図２は、複合機のパネル部の一例を示す図である。図２に示すように、パネル部５は、コピー用キートップ５ｂ、ファクシミリ用キートップ５ｃ、テンキー等の操作ボタン５ｅ、表示部５ｆ等を有している。
【００１７】
図３は、照合治具を示し、（Ａ）は第１のグレードに対応する照合治具、（Ｂ）は第２のグレードに対応する照合治具である。図３（Ａ）に示すように、第１のグレードに対応する照合治具９Ａは、コピー用キートップの開口９ａと、コピー用キートップの照合用表示部９ｄと、ファクシミリ用キートップの開口９ｂと、ファクシミリ用キートップの照合用表示部９ｅとを有している。
【００１８】
また、図３（Ｂ）に示すように、第２のグレードに対応する照合治具９Ｂは、コピー用キートップの開口９ａと、コピー用キートップの照合用表示部９ｄと、ファクシミリ用キートップの開口９ｂと、ファクシミリ用キートップの照合用表示部９ｅと、さらに、プリンタ用キートップの開口９ｃと、プリンタ用キートップの照合用表示部９ｆとを有している。
【００１９】
図４は、キートップの取り付けの一例を示す図である。図４では一例としてコピー用キートップ５ｂを取り付ける場合について示したが、他のキートップの取り付けにおいても同様である。図４に示すように、パネル部５にはキートップ取付用凹部５ａが形成され、キートップ取付用凹部５ａの中央部にはスイッチ５ｇが設けられている。そして、コピー用キートップ５ｂをキートップ取付用凹部５ａに取り付ける。
【００２０】
図５は、キー構造の一例を示す図である。図５の例では、単一のスイッチを有するキー構造の場合である。キーは、コピー用キートップ５ｂと、コピー用キートップ５ｂの下方に配置され、コピー用キートップ５ｂの押下によりオンするスイッチ５ｇとを備えている。また、スイッチ５ｇはプリント基板５ｈに搭載されており、スイッチ５ｇのリード部５ｉがプリント基板５ｈのランド面に半田付けされている。
【００２１】
図６は、本発明の一実施形態に係る、複合機の生産ラインの流れを示すフローチャートである。図６に示すように、ステップＳ１の組立開始からステップＳ２の組立終了までは、通常の複合機の組立ラインであり、ステップＳ２において、キートップ以外の組み立てが終了している。
【００２２】
次に、ステップＳ３では、コピー用キートップ５ｂが図４に示すようにパネル部５に取り付けられる。
【００２３】
次に、ステップＳ４では、各機能の工程保証手順を組み込んだアプリケーションプログラムとしての検査プログラムを複合機組立体４Ａのコントローラ６にインストールする。ここで、工程保証手順とは組み立てられた製品に対しての機能・画像を検査するための検査する順番のことである。検査プログラムは記録媒体に格納されたものからインストールしたり、有線ＬＡＮ又は無線を用いてインストールすることができる。
【００２４】
次に、ステップＳ５では、コピー用キートップ５ｂを押し下げることにより、コピー機能検査プログラムを起動し、コピー機能の検査を行う。
【００２５】
次に、ステップＳ６では、コピー機能の検査結果の良否を判定し、検査結果が「良」の場合はステップＳ７に進み、検査結果が「否」の場合にはステップＳ１６に進み、不良品処理を行う。このようにして１工程目の保証が終了する。
【００２６】
次に、ステップＳ７では、ファクシミリ用キートップ５ｃがコピー用キートップ５ｂと同様にパネル部５に取り付けられる。
【００２７】
次に、ステップＳ８では、ファクシミリ用キートップ５ｃを押し下げることにより、ファクシミリ機能検査プログラムを起動し、ファクシミリ機能の検査を行う。
【００２８】
次に、ステップＳ９では、ファクシミリ機能の検査結果の良否を判定し、検査結果が「良」の場合はステップＳ１０に進み、検査結果が「否」の場合にはステップＳ１６に進み、不良品処理を行う。このようにして２工程目の保証が終了する。
【００２９】
次に、ステップＳ１０では、プリンタ用キートップ５ｄがコピー用キートップ５ｂと同様にパネル部５に取り付けられる。
【００３０】
次に、ステップＳ１１では、プリンタ用キートップ５ｄを押し下げることにより、プリンタ機能検査プログラムを起動し、プリンタ機能の検査を行う。
【００３１】
次に、ステップＳ１２では、プリンタ機能の検査結果の良否を判定し、検査結果が「良」の場合はステップＳ１３に進み、検査結果が「否」の場合にはステップＳ１６に進み、不良品処理を行う。このようにして３工程目の保証が終了する。
【００３２】
次に、ステップＳ１３では、マスク照合治具９Ａ、９Ｂを用いて仕様のグレードに適合しているか否かを検査する。即ち、複合機のグレードによってコピー用キートップ、ファクシミリ用キートップ、プリンタ用キートップ等のキートップの数や位置が異なっているので、グレードに合わせてキートップに対応する部分を開口としたマスク照合治具９Ａまたはマスク照合治具９Ｂをパネル部５に被せて装置のグレードを確認する。
【００３３】
次に、ステップＳ１４では、装置グレードの検査結果の良否を判定し、検査結果が「良」の場合はステップＳ１５に進み、検査結果が「否」の場合にはステップＳ１６に進み、不良品処理を行う。
【００３４】
次に、ステップＳ１５では、複合機組立体のコントローラ６にインストールされている検査プログラムの削除処理を行う。
【００３５】
以上のように、製品の機能（コピー機能、ファクシミリ機能、プリンタ機能、スキャナ機能、ドキュメント機能等）が満足しているか否かを決められた項目に対し検査をし評価することにより工程保証システムを実現することができる。また、上記実施形態ではコピー機能、ファクシミリ機能及びプリンタ機能を有する複合機について説明したが、製品の機能としては他に、スキャナ機能、ドキュメント機能等があり、これらを有する複合機の場合でも同様に工程を追加することにより、工程保証が可能となる。
【００３６】
また、コピー用キートップ、ファクシミリ用キートップ、プリンタ用キートップ等のキートップを同じ場所で取り付けるのではなく、１種類１工程で分散して取り付ける工程分割をしているので、異なる機能に対応するキートップの取り付け間違いを防止することができる。
【００３７】
なお、本発明は上記実施例に限定されるものではない。即ち、本発明の骨子を逸脱しない範囲で種々変形して実施することができる。
【図面の簡単な説明】
【００３８】
【図１】本発明の一実施形態に係る、複合機の生産ラインを示す図である。
【図２】複合機のパネル部の一例を示す図である。
【図３】照合治具の一例を示し、（Ａ）は第１のグレードに対応する照合治具、（Ｂ）は第２のグレードに対応する照合治具である。
【図４】キートップの取り付けの一例を示す図である。
【図５】キー構造の一例を示す図である。
【図６】本発明の一実施形態に係る、複合機の生産ラインの流れを示すフローチャートである。
【符号の説明】
【００３９】
１    生産ライン
２    ベルトコンベア
３    パレット
４Ａ    複合機組立体
４Ｂ    複合機組立体
４Ｃ    複合機組立体
４Ｄ    複合機組立体
５    パネル部
５ａ    キートップ取付用凹部
５ｂ    コピー用キートップ
５ｃ    ファクシミリ用キートップ
５ｄ    プリンタ用キートップ
５ｅ    テンキー等の操作ボタン
５ｆ    表示部
５ｇ    スイッチ
５ｈ    プリント基板
５ｉ    リード部
６    コントローラ
７ｂ    部品テーブル
７ｃ    部品テーブル
７ｄ    部品テーブル
７ｅ    インストール用テーブル
８ｂ    作業者
８ｃ    作業者
８ｄ    作業者
９Ａ    照合治具
９Ｂ    照合治具
９ａ    コピー用キートップの開口
９ｂ    ファクシミリ用キートップの開口
９ｃ    プリンタ用キートップの開口
９ｄ    コピー用キートップの照合用表示部
９ｅ    ファクシミリ用キートップの照合用表示部
９ｆ    プリンタ用キートップの照合用表示部
【図１】
2006211484.tif 000003
【図２】
2006211484.tif 000004
【図３】
2006211484.tif 000005
【図４】
2006211484.tif 000006
【図５】
2006211484.tif 000007
【図６】
2006211484.tif 000008